(57)【要約】【課題】  ＯＬＴから各ＯＮＵへの信号で用いられる波長を処理する部分が故障した場合であっても、強制停止信号を受信することを目的とする。【解決手段】  本発明のＯＮＵは、異なる２つのＰＯＮシステムに対応し、選択されたいずれか１つのＰＯＮシステムで運用し、運用中のＰＯＮシステムに対応した受信信号を処理する第一の終端回路と、非運用中のＰＯＮシステムに対応した受信信号を処理する第二の終端回路と、運用中のＰＯＮシステムにおける局側装置から送信され、第二の終端回路で処理された受信信号が、送信信号の停止を指示する強制停止信号の場合に、運用中のＰＯＮシステムに対応した送信信号の出力を停止する制御部とを備える。【選択図】          図１
2014135679.tif 000002
【特許請求の範囲】
【請求項１】
異なる２つのＰＯＮシステムに対応し、選択されたいずれか１つのＰＯＮシステムで運用する端末側通信装置において、
運用中のＰＯＮシステムに対応した受信信号を処理する第一の終端回路と、
非運用中のＰＯＮシステムに対応した受信信号を処理する第二の終端回路と、
運用中のＰＯＮシステムにおける局側装置から送信され、前記第二の終端回路で処理された受信信号が、送信信号の停止を指示する強制停止信号の場合に、運用中のＰＯＮシステムに対応した送信信号の出力を停止する制御部と
を備えることを特徴とする端末側通信装置。
【請求項２】
前記制御部は、運用中のＰＯＮシステムにおける前記局側装置から送信され、前記第二の終端回路で処理された受信信号が、送信信号の出力再開を指示する電源回復信号の場合に、運用中のＰＯＮシステムに対応した送信信号の出力を再開すること
を特徴とする請求項１に記載の端末側通信装置。
【請求項３】
異なる２つのＰＯＮシステムに対応し、選択されたいずれか１つのＰＯＮシステムで運用する端末側通信装置を有するＰＯＮシステムの通信障害復旧方法において、
当該ＰＯＮシステムで運用中の端末側通信装置であって不正送信をする端末側通信装置を検出する故障検出ステップと、
前記故障検出ステップにて検出された端末側通信装置に対し、非運用中のＰＯＮシステムに対応する信号を用いて送信信号の停止を指示する強制停止信号を送信する強制停止信号送信ステップと、
前記強制停止信号を受信した前記端末側通信装置が、運用中のＰＯＮシステムに対応する送信信号の出力を停止する送信停止ステップと
を備える通信障害復旧方法。
【請求項４】
前記故障検出ステップにて検出された端末側通信装置が、異なる２つのＰＯＮシステムに対応した端末側通信装置であるか否かを確認する確認ステップと、
前記確認ステップにて前記端末側装置が、異なる２つのＰＯＮシステムに対応した端末側通信装置である場合に、非運用中のＰＯＮシステムに対応する波長を前記強制停止信号の波長と決定する決定ステップとを備え、
前記強制停止信号送信ステップは、前記決定ステップで得た波長信号を用いて、前記強制停止信号を前記端末側通信装置へ送信すること
を特徴とする請求項３に記載の通信障害復旧方法。
【請求項５】
前記強制停止信号送信ステップにて前記強制停止信号を前記端末側通信装置へ送信後、前記端末側通信装置に対し、非運用中のＰＯＮシステムに対応する信号を用いて送信信号の出力を再開させる電源回復信号を送信する電源回復信号送信ステップと、
前記電源回復信号を受信した前記端末側通信装置が、運用中のＰＯＮシステムに対応する送信信号の出力を再開する送信回復ステップとを備えること
を特徴とする請求項３に記載の通信障害復旧方法。
【請求項６】
前記強制停止信号送信ステップにて前記強制停止信号を前記端末側通信装置へ送信後、前記端末側通信装置に対し、非運用中のＰＯＮシステムに対応する信号を用いて送信信号の出力を再開させる電源回復信号を送信する電源回復信号送信ステップと、
前記電源回復信号を受信した前記端末側通信装置が、運用中のＰＯＮシステムに対応する送信信号の出力を再開する送信回復ステップとを備え、
前記決定ステップは、前記確認ステップにて前記端末側装置が、異なる２つのＰＯＮシステムに対応した端末側通信装置である場合に、非運用中のＰＯＮシステムに対応する波長を前記電源回復信号の波長と決定し、
前記電源回復信号送信ステップは、前記決定ステップで得た波長信号を用いて、電源回復信号を前記端末側通信装置へ送信すること
を特徴とする請求項４に記載の通信障害復旧方法。
【請求項７】
異なる２つのＰＯＮシステムに対応し、選択されたいずれか１つのＰＯＮシステムで運用する端末側通信装置を有するＰＯＮシステムの局側装置において、
当該ＰＯＮシステムで運用中の端末側通信装置であって不正送信をする端末側通信装置を検出するＯＮＵ故障検出部と、
前記故障検出部にて検出された端末側通信装置に対し、非運用中のＰＯＮシステムに対応する信号を用いて送信信号の停止を指示する強制停止信号を送信する強制停止信号送信部と、
を備える局側装置。
【請求項８】
前記ＯＮＵ故障検出部にて検出された端末側通信装置が、異なる２つのＰＯＮシステムに対応した端末側通信装置であるか否かを確認するＯＮＵ確認部と、
前記ＯＮＵ確認部にて前記端末側装置が、異なる２つのＰＯＮシステムに対応した端末側通信装置である場合に、非運用中のＰＯＮシステムに対応する波長を前記強制停止信号の波長と決定する波長決定部とを備え、
前記強制停止信号送信部は、前記波長決定部で得た波長信号を用いて、前記強制停止信号を前記端末側通信装置へ送信すること
を特徴とする請求項７に記載の局側装置。
【請求項９】
前記強制停止信号送信部は、前記強制停止信号を前記端末側通信装置へ送信後、前記端末側通信装置に対し、非運用中のＰＯＮシステムに対応する信号を用いて送信信号の出力を再開させる電源回復信号を送信すること
を特徴とする請求項７に記載の局側装置。
【請求項１０】
前記強制停止信号送信部は、前記強制停止信号を前記端末側通信装置へ送信後、前記端末側通信装置に対し、非運用中のＰＯＮシステムに対応する信号を用いて送信信号の出力を再開させる電源回復信号を送信し、
前記波長決定部は、前記ＯＮＵ確認部にて前記端末側装置が、異なる２つのＰＯＮシステムに対応した端末側通信装置である場合に、非運用中のＰＯＮシステムに対応する波長を前記電源回復信号の波長と決定し、
前記強制停止信号送信部は、前記波長決定部で得た波長信号を用いて、電源回復信号を前記端末側通信装置へ送信すること
を特徴とする請求項８に記載の局側装置。
【発明の詳細な説明】
【技術分野】
【０００１】
本発明は、光ファイバを介して１つの局側通信装置（ＯＬＴ：Ｏｐｔｉｃａｌ  Ｌｉｎｅ  Ｔｅｒｍｉｎａｌ）と複数の端末側通信装置（ＯＮＵ：Ｏｐｔｉｃａｌ  Ｎｅｔｗｏｒｋ  Ｕｎｉｔ）を接続する光アクセスシステム、特にＰＯＮ（Ｐａｓｓｉｖｅ  Ｏｐｔｉｃａｌ  Ｎｅｔｗｏｒｋ）システムに関するものである。
【背景技術】
【０００２】
ＰＯＮシステムは、１つの局側通信装置（以下ＯＬＴ）と複数の端末側通信装置（以下ＯＮＵ）を、光ファイバおよび光スプリッタなどのパッシブな光分岐装置を用いて接続する。ＰＯＮシステムでは、ユーザ宅内または屋外に敷設された支線光ファイバにＯＮＵを接続することで、局舎内に設置されたＯＬＴとの間で通信を可能とする。
【０００３】
ＰＯＮシステムには、例えばＯＬＴ−ＯＮＵ間の通信にイーサフレームを用い１００Ｍｂｐｓの伝送速度を持つＥＰＯＮ（Ｅｔｈｅｒｎｅｔ（登録商標）ＰＯＮ）や１Ｇｂｐｓの伝送速度を持つＧＥ−ＰＯＮ（Ｇｉｇａｂｉｔ  Ｅｔｈｅｒｎｅｔ（登録商標）−ＰＯＮ）、１０Ｇｂｐｓの伝送速度を持つ１０Ｇ−ＥＰＯＮなどがある。
【０００４】
各ＰＯＮシステムのＯＬＴから各ＯＮＵへの信号で用いられる波長は、ＥＰＯＮシステムでは１５４０〜１５７０ｎｍ、ＧＥ−ＰＯＮシステムでは１４８０〜１５００ｎｍ、１０Ｇ−ＥＰＯＮシステムでは１５７４〜１５８０ｎｍとなる。
【０００５】
伝送速度の高速化を目指し、ＰＯＮシステムの切り替えが行われる。例えば、ＥＰＯＮシステムからＧＥ−ＰＯＮシステムへの切り替えなどである。ＰＯＮシステムの切り替えでは、ネットワークトポロジーが同一であり、同仕様の伝送路を使用できる。しかしながら、異なるＰＯＮシステムに対応したＯＬＴとＯＮＵとは、以下の理由により接続することができない。まず、１つ目の理由として、上記の通り、下り信号の波長帯が異なるという点がある。２つ目の理由として、通信プロトコルが異なるという点がある。異なるＰＯＮシステムに対応したＯＬＴとＯＮＵとの間ではデータが導通しない。
【０００６】
上記のような理由から、例えばＥＰＯＮからＧＥ−ＰＯＮへのシステム切替えを実施する場合において、各ユーザ宅側のＥＰＯＮ  ＯＮＵを順にＧＥ−ＰＯＮ  ＯＮＵに交換していくと、最終的に局側のＥＰＯＮ  ＯＬＴをＧＥ−ＰＯＮ  ＯＬＴに交換するまでの間、ＧＥ−ＰＯＮ  ＯＮＵに交換したユーザ宅では通信が行えなくなってしまう。
【０００７】
したがって、システム切替えを実施する場合には、全てのユーザ宅側のＥＰＯＮ  ＯＮＵを一斉にＧＥ−ＰＯＮ  ＯＮＵに交換し、それと同時に局側のＥＰＯＮ  ＯＬＴをＧＥ−ＰＯＮ  ＯＬＴに交換する必要がある。しかし、この方法ではマイグレーション作業の効率が悪い。
【０００８】
効率の良い、マイグレーション作業を行う方法の一つとして、異なる２つのＰＯＮシステムに対応した一体型ＯＮＵの導入がある。例えば、異なるＰＯＮシステムに対応したＥＰＯＮ／ＧＥ−ＰＯＮ一体型ＯＮＵ、ＧＥ−ＰＯＮ／１０Ｇ−ＥＰＯＮ一体型ＯＮＵなどがある。
【０００９】
また、ＰＯＮシステムでは、ＯＬＴと光カプラ間の光伝送路を複数のＯＮＵで共有するため、各ＯＮＵからＯＬＴにはＴＤＭＡ（Ｔｉｍｅ  Ｄｉｖｉｓｉｏｎ  Ｍｕｌｔｉｐｌｅ  Ａｃｃｅｓｓ）が用いられる。ＴＤＭＡにおいては、ＯＬＴは各ＯＮＵに対して、予めＯＮＵからＯＬＴへの信号（以下、上り信号）の送信タイミングを指示し、各ＯＮＵは指示された送信タイミングでバースト的に光信号を送信し、指示された送信タイミング以外では光信号の送信を停止させる。
【００１０】
ＯＮＵで故障が発生すると、他のＯＮＵの送信タイミングで故障したＯＮＵが光信号を送信する場合が考えられる。その場合ＯＬＴと接続される故障していないＯＮＵの一部、または全ての通信が不可能となる通信障害が発生する。
【００１１】
ＰＯＮシステムでは、他のＯＮＵの送信タイミングで故障したＯＮＵが光信号を送信する場合に、他のＯＮＵの通信障害を復旧させるための通信障害復旧方法を持っている。特許文献１では、ＰＯＮシステムのＯＬＴから各ＯＮＵへの信号で用いられる波長にて、ＯＮＵへ強制停止信号を送り、他のＯＮＵの通信障害を復旧させる。
【先行技術文献】
【特許文献】
【００１２】
【特許文献１】特開平１１−１５４９５６号公報
【発明の概要】
【発明が解決しようとする課題】
【００１３】
上記のとおり、従来のＰＯＮシステムでは、ＰＯＮシステムのＯＬＴから各ＯＮＵへの信号で用いられる波長を用いて強制停止信号を送信している。よって、ＯＮＵにおけるＯＬＴから各ＯＮＵへの信号で用いられる波長を処理する部分が故障した場合、強制停止信号を受信することができず、他のＯＮＵの通信障害を復旧することができないとの課題がある。
【００１４】
本発明は、上記の問題点を解決するためになされたものであって、ＯＮＵにおけるＯＬＴから各ＯＮＵへの信号で用いられる波長を処理する部分が故障した場合であっても、ＯＬＴからの強制停止信号を受信可能とすることを目的とする。
【課題を解決するための手段】
【００１５】
この発明は上述のような課題を解消するためになされたもので、本発明によればＯＮＵは、異なる２つのＰＯＮシステムに対応し、選択されたいずれか１つのＰＯＮシステムで運用し、運用中のＰＯＮシステムに対応した受信信号を処理する第一の終端回路と、非運用中のＰＯＮシステムに対応した受信信号を処理する第二の終端回路と、運用中のＰＯＮシステムにおける局側装置から送信され、第二の終端回路で処理された受信信号が、送信信号の停止を指示する強制停止信号の場合に、運用中のＰＯＮシステムに対応した送信信号の出力を停止する制御部とを具備する。
【発明の効果】
【００１６】
以上のように、この発明によればＯＮＵにおけるＯＬＴから各ＯＮＵへの信号で用いられる波長を処理する部分が故障した場合でも、ＯＮＵはＯＬＴ側からの強制停止信号を受信可能となる。これにより、ＯＮＵにおけるＯＬＴから各ＯＮＵへの信号で用いられる波長を処理する部分が故障した場合でも、該ＯＮＵがＯＬＴ側からの強制停止信号に従い、上り信号の送信を止めることができる。その結果、前記ＯＬＴに収容されている他のＯＮＵの通信障害を復旧することが可能となる。
【図面の簡単な説明】
【００１７】
【図１】実施の形態１におけるＰＯＮシステムの構成図である。
【図２】波長１５４０〜１５７０ｎｍの強制停止信号のフレーム形式を示す図である。
【図３】波長１４８０〜１５００ｎｍの強制停止信号のフレーム形式を示す図である。
【図４】実施の形態１における、ＯＮＵが故障した場合のＯＬＴ及び強制停止信号送信器の動作フローを示す図である。
【図５】実施の形態２における、ＯＮＵが故障した場合のＯＬＴ及び強制停止信号送信器の動作フローを示す図である。
【発明を実施するための形態】
【００１８】
実施の形態１．
図１は、本発明の実施の形態１におけるＰＯＮシステムの構成図である。本ＰＯＮシステムは、局側装置１００、複数のＯＮＵ１０３ａ、１０３ｂ（総称してＯＮＵとする）、光分岐器（光スプリッタ）１０４、幹線光ファイバ１０５、光カプラ１０６、および複数の支線光ファイバ１０７ａ、１０７ｂ（総称して支線光ファイバとする）から構成される。図１ではＯＮＵが２つの場合を開示したが、数はこの限りではない。局側装置１００は、ＯＬＴ１０１、強制停止信号送信器１０２を含み構成される。
【００１９】
ＯＬＴ１０１とＯＮＵとは、光分岐器１０４、幹線光ファイバ１０５、光カプラ１０６、支線光ファイバ経由で、運用中のＰＯＮシステムで用いる波長を用いてＯＮＵからＯＬＴへの信号である上り信号（以下、上り主信号）とＯＬＴからＯＮＵの信号である下り信号（以下、下り主信号）との送受信を行う。運用中のＰＯＮシステムがＥＰＯＮシステムの場合、運用中のＰＯＮシステムで用いる下り主信号の波長は、１５４０〜１５７０ｎｍとなり、運用中のＰＯＮシステムがＧＥ−ＰＯＮシステムの場合、運用中のＰＯＮシステムで用いる下り主信号の波長は、１４８０〜１５００ｎｍとなり、運用中のＰＯＮシステムが１０Ｇ−ＥＰＯＮシステムの場合、運用中のＰＯＮシステムで用いる下り主信号の波長は、１５７４〜１５８０ｎｍとなる。
【００２０】
ＯＬＴ１０１は、ＯＮＵ故障検出部１２３、ＯＮＵ確認部１２４、波長決定部１２５を含み構成される。
【００２１】
ＯＮＵ故障検出部１２３は、割当てられた送信タイミングと異なるタイミングで送信（以下、不正送信）する端末側通信装置を検出する。
【００２２】
ＯＮＵ確認部１２４は、ＯＮＵ故障検出部１２３にて検出された端末側通信装置を特定する。特定の情報としては、該ＯＮＵのMACアドレスなどがある。また、検出された端末側通信装置が、異なる２つのＰＯＮシステムに対応した端末側通信装置であるか否かを確認する。接続されるＯＮＵが、異なる２つのＰＯＮシステムに対応した端末側通信装置であるか否かの情報は、ＯＬＴ１０１、またはオペレータが保持する。
【００２３】
波長決定部１２５は、ＯＮＵ確認部にて不正送信をする端末側通信装置が、異なる２つのＰＯＮシステムに対応した端末側通信装置であることを確認した場合に、非運用中のＰＯＮシステムに対応する波長を強制停止信号の波長と決定する。強制停止信号の送信で用いるＰＯＮシステムとして、非運用中のＰＯＮシステムと決定してもよい。接続されるＯＮＵが、実装している終端回路が対応する波長の情報は、ＯＬＴ１０１、またはオペレータが保持する。例えば、運用中のＰＯＮシステムがＥＰＯＮシステムで、接続されるＯＮＵが実装している終端回路が波長１５４０〜１５７０ｎｍに対応したＥＰＯＮ終端回路１１１と、波長１４８０〜１５００ｎｍに対応したＧＥ−ＰＯＮ終端回路１０９の場合、強制停止信号で用いる波長は、非運用中のＰＯＮシステムであるＧＥ−ＰＯＮシステムの１４８０〜１５００ｎｍとなる。また、運用中のＰＯＮシステムがＧＥ−ＰＯＮシステムで、接続されるＯＮＵが実装している終端回路が波長１５４０〜１５７０ｎｍに対応したＥＰＯＮ終端回路１１１と、波長１４８０〜１５００ｎｍに対応したＧＥ−ＰＯＮ終端回路１０９の場合、強制停止信号で用いる波長は、非運用中のＰＯＮシステムであるＥＰＯＮシステム１５４０〜１５７０ｎｍとなる。
【００２４】
ＯＬＴ１０１、またはオペレータは、接続ＯＮＵの故障を検出した場合、強制停止信号送信器１０２へ強制停止信号送信の指示を通知する。また、故障ＯＮＵが特定している場合は、特定情報、例えば該ＯＮＵのMACアドレスなどを強制停止信号送信器１０２へ通知する。また、強制停止信号で用いる波長、あるいはＰＯＮシステムが決定している場合は、該情報を強制停止信号送信器１０２へ通知する。
【００２５】
強制停止信号送信の指示を受けた強制停止信号送信器１０２は、ＯＮＵへ、光分岐器１０４、幹線光ファイバ１０５、光カプラ１０６、支線光ファイバ経由で、強制停止信号を送信する。強制停止信号は、下り主信号で用いる波長とは異なる波長を用いる。光分岐器１０４は、強制停止信号送信器１０２からの強制停止信号と、ＯＬＴ１０１からの下り主信号とを多重化する。
【００２６】
強制停止信号のフレーム形式は、強制停止信号で用いる波長に対応したシステムに準拠する。これにより、強制停止信号を受信するＯＮＵが新たな終端回路を設ける必要がない。
【００２７】
図２は、波長１５４０〜１５７０ｎｍの強制停止信号のフレーム形式を示す図である。フレーム形式は、波長１５４０〜１５７０ｎｍに対応したＥＰＯＮシステムのフレーム形式に準拠する。具体的には、プリアンブル部、ＰＯＮヘッダ部、イーサネット（登録商標）フレーム開始を通知するＳＦＤ部、宛先アドレスであるＤＡ部、発振元アドレスであるＳＡ部、上位層のプロトコルを識別する為のＴＹＰＥ部、ＩＰヘッダ部、ペイロードおよび誤り検出に使用するＦＣＳ部から成る。フレームのＰＯＮヘッダ部の制御信号領域Ａに強制停止信号をマッピングする。
【００２８】
図３は、波長１４８０〜１５００ｎｍの強制停止信号のフレーム形式を示す図である。フレーム形式は、波長１４８０〜１５００ｎｍに対応したＧＥ−ＰＯＮシステムのフレーム形式に準拠する。具体的には、プリアンブル部、宛先アドレスであるＤＡ部、発振元アドレスであるＳＡ部、フレーム長と上位層のプロトコルを識別する為のＴＹＰＥ部、ペイロードおよび誤り検出に使用するＦＣＳ部からなる。このとき、フレームのプリアンブル部の制御信号領域Ｂに強制停止信号をマッピングする。
【００２９】
また、強制停止信号送信器１０２は、ＯＬＴ１０１内に構成されてもよい。強制停止信号送信器１０２は、局側装置１００の強制停止信号送信部ともいえる。
【００３０】
またビデオ用ＯＬＴ内に構成されても良い。例えば、ビデオ用ＯＬＴから各ＯＮＵへの信号で用いられる波長が、１５４０〜１５７０ｎｍの場合、ＥＰＯＮシステムの下り主信号で用いられる波長と同じとなる。よって、波長１５４０〜１５７０ｎｍの強制停止信号を送信する強制停止信号送信器１０２をビデオ用ＯＬＴ内に構成することは有用である。
【００３１】
ＯＮＵ１０３ａは、異なる波長に対応した２つの終端回路であるＥＰＯＮ終端回路１０８、ＧＥ−ＰＯＮ終端回路１０９、光分岐器１１０、光信号を電気信号に変換するＯ／Ｅ（Ｏｐｔｉｃａｌ／Ｅｌｅｃｔｒｉｃａｌ  Ｃｏｎｖｅｒｔｅｒ）回路１１１、Ｏ／Ｅ回路１１２、光合分波器１１３、判定回路１１４、第一の選択回路１１５、第二の選択回路１１６、ユーザ側ポート１１７、ＭＵＸ１１８、電気信号を光信号に変換するＥ／Ｏ（Ｅｌｅｃｔｒｉｃａｌ／Ｏｐｔｉｃａｌ  Ｃｏｎｖｅｒｔｅｒ）回路１１９、電源制御部１２０、スイッチ１２１、電源部１２２を含み構成される。
【００３２】
図１では、異なる波長に対応した２つの終端回路としてＥＰＯＮ終端回路１１１と、ＧＥ−ＰＯＮ終端回路１０９を含み構成されるＥＰＯＮ／ＧＥ−ＰＯＮ一体型ＯＮＵの場合を開示したが、この限りではない。例えば、異なる波長に対応した２つの終端回路としてＧＥ−ＰＯＮ終端回路と、１０Ｇ−ＰＯＮ終端回路を含み構成されるＧＥ−ＰＯＮ／１０Ｇ−ＥＰＯＮ一体型ＯＮＵがある。
【００３３】
光分岐器１１０は、支線光ファイバから下り信号を受信し、終端回路が対応した波長に応じて信号を分岐し、Ｏ／Ｅ回路１１１、あるいはＯ／Ｅ回路１１２へ出力する。図１のＥＰＯＮ／ＧＥ−ＰＯＮ一体型ＯＮＵでは、受信した信号の波長が１５４０〜１５７０ｎｍのときは、Ｏ／Ｅ回路１１１へ出力し、受信した信号の波長が１４８０〜１５００ｎｍのときは、光合分波器１１３経由でＯ／Ｅ回路１１２へ出力する。
【００３４】
Ｏ／Ｅ回路１１１は、波長１５４０〜１５７０ｎｍに対応した回路であり、変換後の電気信号をＥＰＯＮ終端回路１０８へ出力する。Ｏ／Ｅ回路１１２は、波長１４８０〜１５００ｎｍに対応した回路であり、変換後の電気信号をＧＥ−ＰＯＮ終端回路１０９へ出力する。
【００３５】
ＥＰＯＮ終端回路１０８は、ＥＰＯＮシステムの通信プロトコルに従って動作する終端回路であり、受信した波長１５４０〜１５７０ｎｍの信号を終端して各種信号処理を行う。つまり、ＯＮＵ１０３ａがＥＰＯＮシステムに接続されている場合、ＥＰＯＮ終端回路１０８は、下り主信号を終端する。また、ＯＮＵ１０３ａがＧＥ−ＰＯＮシステムに接続されている場合、ＥＰＯＮ終端回路１０８は、強制停止信号を終端して信号処理を行う。ＥＰＯＮ終端回路１０８により処理された信号は判定回路１１４、第一の選択回路１１５、第二の選択回路１１６に出力される。あるいは、判定回路１１４へは、下り主信号の受信有無信号を出力してもよい。また第一の選択回路１１５から入力された上り信号を、ＥＰＯＮシステムの通信プロトコルに従って上り信号を生成し、ＭＵＸ１１８へ出力する。
【００３６】
ＧＥ−ＰＯＮ終端回路１０９は、ＧＥ−ＰＯＮシステムの通信プロトコルに従って動作する終端回路であり、受信した波長１４８０〜１５００ｎｍの信号を終端して各種信号処理を行う。つまり、ＯＮＵ１０３ａがＧＥ−ＰＯＮシステムに接続されている場合、ＧＥ−ＰＯＮ終端回路１０９は、下り主信号を終端する。また、ＯＮＵ１０３ａがＥＰＯＮシステムに接続されている場合、ＧＥ−ＰＯＮ終端回路１０９は、強制停止信号を終端して信号処理を行う。ＧＥ−ＰＯＮ終端回路１０９により処理された信号は判定回路１１４、第一の選択回路１１５、第二の選択回路１１６に出力される。あるいは、判定回路１１４へは、下り主信号の受信有無信号を出力してもよい。また第一の選択回路１１５から入力された上り信号を、ＧＥ−ＰＯＮシステムの通信プロトコルに従って上り信号を生成し、ＭＵＸ１１８へ出力する。
【００３７】
判定回路１１４は、ＥＰＯＮ終端回路１０８、ＧＥ−ＰＯＮ終端回路１０９から受信した信号に基づき、いずれの終端回路から下り主信号が出力されたか判定する。判定結果を第一の選択回路１１５、第二の選択回路１１６、ＭＵＸ１１８へ出力する。判定回路１１４にて、ＥＰＯＮ終端回路１０８から下り主信号が出力されたと判定した場合、自ＯＮＵはＥＰＯＮシステムに接続されていると判定することが可能である。同様にＧＥ−ＰＯＮ終端回路１０９から下り主信号が出力されたと判定した場合、自ＯＮＵはＧＥ−ＰＯＮシステムに接続されていると判定することが可能である。
【００３８】
第一の選択回路１１５は、判定回路１１４による判定結果に基づいて、下り主信号が出力された終端回路から出力された信号を選択し、ユーザ側ポート１１７経由で外部、例えばユーザ端末へ出力する。また、ユーザ側ポート１１７経由で外部、例えばユーザ端末から入力された上り信号を、判定回路１１４による判定結果に基づいて、下り主信号が出力された終端回路へ出力する。
【００３９】
ＭＵＸ１１８は、判定回路１１４による判定結果に基づいて、下り主信号が出力された終端回路から入力された上り信号をＥ／Ｏ回路１１９へ出力する。
【００４０】
Ｅ／Ｏ回路１１９は、ＥＰＯＮおよびＧＥ−ＰＯＮで使用される上り信号の波長である１３１０ｎｍに対応した変換回路であり、ＭＵＸ１１８からの上り信号を光信号に変換し、光分岐器１１０経由で、支線光ファイバへ出力する。
【００４１】
第二の選択回路１１６は、判定回路１１４による判定結果に基づいて、下り主信号が出力された終端回路（運用中のＰＯＮシステムに対応した受信信号を処理する終端回路）とは異なる終端回路（非運用中のＰＯＮシステムに対応した受信信号を処理する終端回路）から出力された信号を選択し、上り信号送信の出力を制御可能な、制御部へ出力する。制御部の具体例としては、電源制御部１２０がある。つまり、強制停止信号を電源制御部１２０へ出力する。
【００４２】
電源制御部１２０は、第二の選択回路から強制停止信号を受信した場合、スイッチ１２１をオフし、上り信号送信に係る部分への電源部１２２からの電源供給を停止する。これにより、上り信号送信に係る部分への電源供給が断たれ、故障したＯＮＵ１０３ａからの上り信号の送信が停止し、不正送信を止めることができ、他のＯＮＵの通信障害が復旧する。上り信号送信に係る部分は、ＭＵＸ１１８、Ｅ／Ｏ回路１１９などがある。
【００４３】
次に動作について説明する。図４は、本発明の実施の形態１における、ＯＮＵが故障した場合のＯＬＴ及び強制停止信号送信器の動作フローを示す図である。
【００４４】
ステップＳ４０１にて、ＯＬＴ１０１のＯＮＵ故障検出部１２３、またはオペレータは、接続ＯＮＵの故障検出処理を実行する。不正送信を検出する。故障を検出した場合は、ステップＳ４０２へ移行する。故障を検出しない場合は、ステップＳ４０１の故障検出処理を繰り返す。
【００４５】
ステップＳ４０２にて、ＯＬＴ１０１のＯＮＵ確認部１２４、またはオペレータは、故障ＯＮＵの特定処理を実行する。故障ＯＮＵが特定できた場合は、ステップＳ４０３へ移行する。故障ＯＮＵが特定できない場合は、処理を終了する。あるいは従来のＰＯＮシステムと同様、運用中のＰＯＮシステムの下り信号で用いられる波長を用いて強制停止信号を送信する。あるいはステップＳ４０４へ移行する。
【００４６】
ステップＳ４０３にて、ＯＬＴ１０１のＯＮＵ確認部１２４、またはオペレータは、故障ＯＮＵに運用中のシステム対応以外（非運用中のシステム対応）の終端回路有無の確認処理を実行する。運用中のシステム対応以外の終端回路が存在する場合は、ＯＬＴ１０１の波長決定部１２５は、該終端回路が対応する波長・システムなどを確認し、強制停止信号で用いる波長の決定処理を実行する。その後、ステップＳ４０４へ移行する。運用中のシステム対応以外の終端回路が存在しない場合は、処理を終了する。あるいは従来のＰＯＮシステムと同様、ＰＯＮシステムのＯＬＴから各ＯＮＵへの信号で用いられる波長を用いて強制停止信号を送信する。
【００４７】
例えば、故障ＯＮＵがＥＰＯＮ／ＧＥ−ＰＯＮ一体型ＯＮＵであり、運用中のＰＯＮシステムがＥＰＯＮシステムである場合、故障ＯＮＵに運用中のＥＰＯＮシステム対応以外の終端回路であるＧＥ−ＰＯＮシステム対応の終端回路が存在する。非運用中のＰＯＮシステムであるＧＥ−ＰＯＮシステム対応の波長を強制停止信号で用いることに決定し、ステップＳ４０４へ移行する。
【００４８】
例えば、故障ＯＮＵがＥＰＯＮ／ＧＥ−ＰＯＮ一体型ＯＮＵであり、運用中のＰＯＮシステムがＧＥ−ＰＯＮシステムである場合、故障ＯＮＵに運用中のＧＥ−ＰＯＮシステム対応以外の終端回路であるＥＰＯＮシステム対応の終端回路が存在する。非運用中のＰＯＮシステムであるＥＰＯＮシステム対応の波長を強制停止信号で用いることに決定し、ステップＳ４０４へ移行する。
【００４９】
ステップＳ４０４にて、ＯＬＴ１０１、またはオペレータは、強制停止信号送信器１０２へ強制停止信号送信の指示を通知する。ステップＳ４０２にて故障ＯＮＵが特定している場合は、ＯＬＴ１０１、またはオペレータは、該ＯＮＵのMACアドレスなどを強制停止信号送信器１０２へ通知する。ステップＳ４０３にて強制停止信号で用いる波長・システムが決定している場合は、ＯＬＴ１０１、またはオペレータは、該情報を強制停止信号送信器１０２へ通知する。
【００５０】
ステップＳ４０５にて、強制停止信号送信器１０２は、運用中のシステム対応以外の波長で、強制停止信号を送信する。ステップＳ４０４にて、ＯＮＵのMACアドレスなどを受信している場合は、強制停止信号送信器１０２は、該ＯＮＵ宛に強制停止信号を送信する。ステップＳ４０４にて、強制停止信号で用いる波長・システムなどを受信している場合は、強制停止信号送信器１０２は、該波長にて強制停止信号を送信する。
【００５１】
ステップＳ４０２、ステップＳ４０３は省略してもよい。省略した場合、ステップＳ４０５にて、強制停止信号送信器１０２は、接続された全てのＯＮＵ宛に、予め決められた波長にて強制停止信号を送信する。
【００５２】
以上説明したように、ＯＮＵの下り主信号の終端回路が故障した場合でも、ＯＮＵはＯＬＴ側からの強制停止信号を受信可能となる。これにより、ＯＮＵの下り主信号の終端回路が故障した場合でも、該ＯＮＵがＯＬＴ側からの強制停止信号に従い、上り信号の送信を止めることができる。その結果、前記ＯＬＴに収容されている他のＯＮＵの通信障害を復旧することが可能となる。
【００５３】
また、システム切替え時のマイグレーション作業効率化のために導入された異なる２つのＰＯＮシステムに対応した一体型ＯＮＵにおいては、システム切替え前においては切替え前のシステムに対応した終端回路のみを使用し、切換え後のシステムに対応した終端回路の使用はない。また、システム切替え後においては切替え後のシステムに対応した終端回路のみを使用し、切替え前のシステムに対応した終端回路の使用はない。よって切替え作業開始前、切替え作業完了後のみに着目すれば、無駄なハードウェアを実装していることになる。しかし、本発明においては、非運用中のシステム対応の終端回路を用いて強制停止信号を信号処理する。よって、異なる２つのＰＯＮシステムに対応した一体型ＯＮＵの運用中のＰＯＮシステム以外に対応するハードウェアを有効に活用するとの効果を得ることができる。
【００５４】
実施の形態２．
本発明の実施の形態２におけるＰＯＮシステムの構成図は、実施の形態１と同様である。実施の形態１と同様の機能を有する部分の説明は省略する。
本発明の実施の形態２の強制停止信号送信器１０２は、実施の形態１における強制停止信号送信器１０２に、電源回復信号を送信する機能を追加したものである。その他は実施の形態１のＰＯＮシステムと同一の構成である。
【００５５】
強制停止信号を送信した強制停止信号送信器１０２は、強制停止信号の送信後、ＯＮＵへ、光分岐器１０４、幹線光ファイバ１０５、光カプラ１０６、支線光ファイバ経由で、電源回復信号を送信する。電源回復信号は、下り主信号で用いる波長とは異なる波長を用いる。光分岐器１０４は、強制停止信号送信器１０２からの電源回復信号と、ＯＬＴ１０１からの下り主信号とを多重化する。
【００５６】
電源回復信号で用いる波長は、接続されるＯＮＵが、実装している終端回路が対応する波長とする。接続されるＯＮＵが、実装している終端回路が対応する波長の情報は、ＯＬＴ１０１、またはオペレータが保持する。
【００５７】
電源回復信号のフレーム形式は、電源回復信号で用いる波長に対応したシステムに準拠する。これにより、電源回復信号を受信するＯＮＵが新たな終端回路を設ける必要がない。
【００５８】
図２は、波長１５４０〜１５７０ｎｍの電源回復信号のフレーム形式を示す図である。フレーム形式は、波長１５４０〜１５７０ｎｍに対応したＥＰＯＮシステムのフレーム形式に準拠する。具体的には、プリアンブル部、ＰＯＮヘッダ部、イーサネット（登録商標）フレーム開始を通知するＳＦＤ部、宛先アドレスであるＤＡ部、発振元アドレスであるＳＡ部、上位層のプロトコルを識別する為のＴＹＰＥ部、ＩＰヘッダ部、ペイロードおよび誤り検出に使用するＦＣＳ部から成る。フレームのＰＯＮヘッダ部の制御信号領域Ａに電源回復信号をマッピングする。電源回復信号は、強制停止信号とは異なる値とする。
【００５９】
図３は、波長１４８０〜１５００ｎｍの電源回復信号のフレーム形式を示す図である。フレーム形式は、波長１４８０〜１５００ｎｍに対応したＧＥ−ＰＯＮシステムのフレーム形式に準拠する。具体的には、プリアンブル部、宛先アドレスであるＤＡ部、発振元アドレスであるＳＡ部、フレーム長と上位層のプロトコルを識別する為のＴＹＰＥ部、ペイロードおよび誤り検出に使用するＦＣＳ部からなる。このとき、フレームのプリアンブル部の制御信号領域Ｂに電源回復信号をマッピングする。電源回復信号は、強制停止信号とは異なる値とする。
【００６０】
ＥＰＯＮ終端回路１０８は、ＥＰＯＮシステムの通信プロトコルに従って動作する終端回路であり、受信した波長１５４０〜１５７０ｎｍの信号を終端して各種信号処理を行う。つまり、ＯＮＵ１０３ａがＥＰＯＮシステムに接続されている場合、ＥＰＯＮ終端回路１０８は、下り主信号を終端する。また、ＯＮＵ１０３ａがＧＥ−ＰＯＮシステムに接続されている場合、ＥＰＯＮ終端回路１０８は、強制停止信号、電源回復信号を終端して信号処理を行う。ＥＰＯＮ終端回路１０８により処理された信号は判定回路１１４、第一の選択回路１１５、第二の選択回路１１６に出力される。あるいは、判定回路１１４へは、下り主信号の受信有無信号を出力してもよい。また第一の選択回路から入力された上り信号を、ＥＰＯＮシステムの通信プロトコルに従って上り信号を生成し、ＭＵＸ１１８へ出力する。
【００６１】
ＧＥ−ＰＯＮ終端回路１０９は、ＧＥ−ＰＯＮシステムの通信プロトコルに従って動作する終端回路であり、受信した波長１４８０〜１５００ｎｍの信号を終端して各種信号処理を行う。つまり、ＯＮＵ１０３ａがＧＥ−ＰＯＮシステムに接続されている場合、ＧＥ−ＰＯＮ終端回路１０９は、下り主信号を終端する。また、ＯＮＵ１０３ａがＥＰＯＮシステムに接続されている場合、ＧＥ−ＰＯＮ終端回路１０９は、強制停止信号、電源回復信号を終端して信号処理を行う。ＧＥ−ＰＯＮ終端回路１０９により処理された信号は判定回路１１４、第一の選択回路１１５、第二の選択回路１１６に出力される。あるいは、判定回路１１４へは、下り主信号の受信有無信号を出力してもよい。また第一の選択回路から入力された上り信号を、ＧＥ−ＰＯＮシステムの通信プロトコルに従って上り信号を生成し、ＭＵＸ１１８へ出力する。
【００６２】
第二の選択回路１１６は、判定回路１１４による判定結果に基づいて、下り主信号が出力された終端回路（運用中のＰＯＮシステムに対応した受信信号を処理する終端回路）とは異なる終端回路（非運用中のＰＯＮシステムに対応した受信信号を処理する終端回路）から出力された信号を選択し、上り信号送信の出力を制御可能な、制御部へ出力する。制御部の具体例としては、電源制御部１２０がある。つまり、強制停止信号、電源回復信号を電源制御部１２０へ出力する。
【００６３】
電源制御部１２０は、第二の選択回路から強制停止信号を受信した場合、スイッチ１２１をオフし、上り信号送信に係る部分への電源部１２２からの電源供給を停止する。これにより、上り信号送信に係る部分への電源供給が断たれ、故障したＯＮＵ１０３ａからの上り信号の送信が停止し、不正送信が原因の他のＯＮＵの通信障害が復旧する。上り信号送信に係る部分は、ＭＵＸ１１８、Ｅ／Ｏ回路１１９などがある。
【００６４】
また、電源制御部１２０は、第二の選択回路から電源回復信号を受信した場合、スイッチ１２１をオンし、上り信号送信に係る部分への電源部１２２からの電源供給を再開する。これにより、上り信号送信に係る部分への電源供給が再開され、ＯＮＵ１０３ａからの上り信号の送信が再開される。
【００６５】
次に動作について説明する。図５は、本発明の実施の形態２における、ＯＮＵが故障した場合のＯＬＴ及び強制停止信号送信器の動作フローを示す図である。図４と同じ符号を付したものは実施の形態１と同様であるため説明を省略する。
【００６６】
ステップＳ４０５にて、強制停止信号送信器１０２は、運用中のシステム対応以外の波長で、強制停止信号を送信する。ステップＳ４０４にて、ＯＮＵのMACアドレスなどを受信している場合は、強制停止信号送信器１０２は、該ＯＮＵ宛に強制停止信号を送信する。ステップＳ４０４にて、強制停止信号で用いる波長・システムなどを受信している場合は、強制停止信号送信器１０２は、該波長にて強制停止信号を送信する。
【００６７】
ステップＳ４０６にて、強制停止信号送信器１０２は、強制停止信号送信後に、運用中のシステム対応以外の波長で電源回復信号を送信する。ステップＳ４０４にて、ＯＮＵのMACアドレスなどを受信している場合は、強制停止信号送信器１０２は、該ＯＮＵ宛に電源回復信号を送信する。ステップＳ４０４にて、強制停止信号で用いる波長・システムなどを受信している場合は、強制停止信号送信器１０２は、該波長にて電源回復信号を送信する。ステップＳ４０６の処理後、ステップＳ４０１へ戻る。
【００６８】
これにより、ＯＮＵ１０３ａの故障がリセット（電源オフ）で復旧するような一時的な故障であった場合など、ＯＮＵ１０３ａのユーザの操作なしに、ＯＮＵ１０３ａの上り信号の送信を再開することができる。また、ＯＮＵ１０３ａの故障が一時的なものでなかった場合においても、再度、強制停止信号送信器１０２から強制停止信号が送信されるため、他のＯＮＵの通信障害は発生しない。上り信号送信に係る部分は、ＭＵＸ１１８、Ｅ／Ｏ回路１１９などがある。
【００６９】
次に、ステップＳ４０２にて、故障ＯＮＵが特定できない場合にステップＳ４０４へ移行し、強制停止信号を送信した場合、あるいはステップＳ４０２、ステップＳ４０３を省略してステップＳ４０４にて強制停止信号を送信した場合の動作例について図５を用いて説明する。
ステップＳ４０４にて接続された全てのＯＮＵ宛に、予め決められた波長にて強制停止信号を送信する。接続されたＯＮＵへ順次、強制停止信号を送信する。強制停止信号を送信し、ＯＮＵ故障検出部１２３は不正送信が停止したか否かを確認する。
ＯＮＵ故障検出部１２３が不正送信の停止を確認しない場合、強制停止信号送信器１０２は、次のＯＮＵへ強制停止信号を送信する。次のＯＮＵへの強制停止信号の送信は、タイマで行われても良いし、逐次強制停止信号送信の指示を行っても良い。
ＯＮＵ故障検出部１２３が不正送信の停止を確認した場合、直前に強制停止信号を送信したＯＮＵを故障ＯＮＵと特定する。
ステップＳ４０５にて強制停止信号を送信したＯＮＵのうち故障ＯＮＵを除いたＯＮＵ宛に、ステップＳ４０６にて強制停止信号送信器１０２は、運用中のシステム対応以外の波長で電源回復信号を送信する。強制停止信号を送信したＯＮＵの特定情報、故障ＯＮＵの特定の情報としては、該ＯＮＵのMACアドレスなどがある。
【００７０】
これにより、故障ＯＮＵを除いたＯＮＵの電源がユーザの操作なしに復旧する。
【００７１】
以上説明したように、実施の形態２により、実施の形態１の効果に加えて、以下の効果を得ることができる。ＯＮＵの故障がリセット（電源オフ）で復旧するような一時的な故障であった場合など、ＯＮＵのユーザの操作なしに、ＯＮＵの上り信号の送信を再開することができる。
【符号の説明】
【００７２】
１００  局側装置
１０２  強制停止信号送信器
１０３ａ、１０３ｂ  ＯＮＵ
１０８  ＥＰＯＮ終端回路
１０９  ＧＥ−ＰＯＮ終端回路
１２０  電源制御部
１２３  ＯＮＵ故障検出部
１２４  ＯＮＵ確認部
１２５  波長決定部
【図１】
2014135679.tif 000003
【図２】
2014135679.tif 000004
【図３】
2014135679.tif 000005
【図４】
2014135679.tif 000006
【図５】
2014135679.tif 000007